(57)【要約】      （修正有）【課題】変化性のある発光効果を発揮できる照明装置を提供する。【解決手段】順番に配列された２種類以上の発光パターンからなる発光シーケンスを含む制御信号を発信できるコントローラ３と、第１の制御手段１１５及び発光できる第１の発光手段１１３ａを有し、制御信号を第１の制御手段１１５が受信し、発光シーケンスに応じて第１の発光手段１１３ａを制御する第１の発光ユニット１ａと、第２の制御手段２１５、発光できる第２の発光手段２１３ａ、及び遅延手段２２を有し、制御信号を第２の制御手段２１５が受信し、発光シーケンスに応じて第２の発光手段２１３ａを制御する第２の発光ユニット２ａと、を備える。遅延手段２２は、第２の制御手段２１５が制御信号を受信して発光シーケンスに応じて第２の発光手段２１３ａを制御する作動を、第１の発光ユニット１ａより所定の時間遅延させてから始まらせる。【選択図】図３
0003213469.tif 000002
【実用新案登録請求の範囲】
【請求項１】
所定の順番に配列された２種類以上の発光パターンからなる発光シーケンスを含む制御信号を発信できるように構成されたコントローラと、
第１の制御手段及び発光できる第１の発光手段を有し、前記コントローラにより発信された前記制御信号を前記第１の制御手段が受信し、前記制御信号に含まれる前記発光シーケンスに応じて前記第１の発光手段の発光を制御する第１の発光ユニットと、
第２の制御手段、発光できる第２の発光手段、及び遅延手段を有し、前記コントローラにより発信された前記制御信号を前記第２の制御手段が受信し、前記制御信号に含まれる前記発光シーケンスに応じて前記第２の発光手段の発光を制御する第２の発光ユニットと、を備え、
前記遅延手段は、前記第２の制御手段が前記制御信号を受信して前記制御信号に含まれる前記発光シーケンスに応じて前記第２の発光手段の発光を制御する作動を、前記第１の発光ユニットより所定の時間遅延させてから始まらせるように構成されていることを特徴とする照明装置。
【請求項２】
前記コントローラは、
複数種類の発光パターンが記憶されているメモリと、
前記制御信号を発信することができる発信手段と、
使用者の操作に応じて、前記メモリに記憶されている前記複数種類の発光パターンから少なくとも２つを選択して順番に前記発光シーケンスに加えてから、前記制御信号に含ませて前記発信手段に発信させることができるユーザインターフェイスと、
を有していることを特徴とする請求項１に記載の照明装置。
【請求項３】
前記第１の制御手段は、前記第１の発光手段を連続的に発光させることと、点滅するように発光させることができるように構成されたものであり、
前記第２の制御手段は、前記第２の発光手段を連続的に発光させることと、点滅するように発光させることができるように構成されたものであり、
前記メモリに記憶されている前記複数種類の発光パターンに、連続的に発光するパターンと点滅するように発光するパターンが含まれていることを特徴とする請求項２に記載の照明装置。
【請求項４】
前記第１の制御手段は、前記第１の発光手段に第１の色と前記第１の色と異なる第２の色で発光させることができるように構成されたものであり、
前記第２の制御手段は、前記第２の発光手段に前記第１の色と前記第２の色で発光させることができるように構成されたものであり、
前記メモリに記憶されている前記複数種類の発光パターンに、前記第１の色で発光するパターンと前記第２の色で発光するパターンが含まれていることを特徴とする請求項２に記載の照明装置。
【請求項５】
前記第１の制御手段は、前記第１の発光手段が発光する輝度を調整できるように構成されたものであり、
前記第２の制御手段は、前記第２の発光手段が発光する輝度を調整できるように構成されたものであり、
前記メモリに記憶されている前記複数種類の発光パターンに、発光する輝度が徐々に明るくなってからまた徐々に暗くなるパターンが含まれていることを特徴とする請求項２に記載の照明装置。
【考案の詳細な説明】
【技術分野】
【０００１】
本考案は照明装置に関し、特に演奏会などで使用される照明装置に関する。
【背景技術】
【０００２】
演奏会などで場を盛り上げるために使用される従来の照明装置としては、例えば下記の特許文献に記載されたものが挙げられる。該照明装置は、入力操作されることで発光信号を発信できるコントローラと、該コントローラが発信した前記発光信号を受信して発光できる複数のライトスティックと、を備えている。
【０００３】
この構造によれば、該照明装置は例えば、演奏会において、複数の前記ライトスティックを複数の観客に配り、そしてオペレータが会場に設置された前記コントローラを操作して発光信号を発信すると、前記観客が持っている各前記ライトスティックがその発光信号を受信して同じ色の光を発することで、統一性がある発光効果をもたらし、演奏会の会場全体の雰囲気を盛り上げることができる。
【先行技術文献】
【特許文献】
【０００４】
【特許文献１】台湾実用新案登録第Ｍ５３０００６号
【考案の概要】
【考案が解決しようとする課題】
【０００５】
しかしながら、該照明装置は、全ての前記ライトスティックが、単に前記コントローラからの発光信号を受信して同時に発光するだけなので、発光効果のバラエテイについてはまだ改善の余地がある。
【０００６】
上記問題点に鑑みて、本考案は、より変化性のある発光効果を発揮できる照明装置の提供を目的とする。
【課題を解決するための手段】
【０００７】
上記目的を達成すべく、本考案の照明装置は、所定の順番に配列された２種類以上の発光パターンからなる発光シーケンスを含む制御信号を発信できるように構成されたコントローラと、第１の制御手段及び発光できる第１の発光手段を有し、前記コントローラにより発信された前記制御信号を前記第１の制御手段が受信し、前記制御信号に含まれる前記発光シーケンスに応じて前記第１の発光手段の発光を制御する第１の発光ユニットと、第２の制御手段、発光できる第２の発光手段、及び遅延手段を有し、前記コントローラにより発信された前記制御信号を前記第２の制御手段が受信し、前記制御信号に含まれる前記発光シーケンスに応じて前記第２の発光手段の発光を制御する第２の発光ユニットと、を備える。前記遅延手段は、前記第２の制御手段が前記制御信号を受信して前記制御信号に含まれる前記発光シーケンスに応じて前記第２の発光手段の発光を制御する作動を、前記第１の発光ユニットより所定の時間遅延させてから始まらせるように構成されている。
【考案の効果】
【０００８】
上記構成によれば、本考案の照明装置は、２種類以上の発光パターンからなる発光シーケンスを含む制御信号を発信できるコントローラと、前記コントローラにより発信された前記制御信号を受信して該制御信号に含まれる前記発光シーケンスに応じて発光できる第１の発光ユニットと、遅延手段を有し、前記コントローラにより発信された前記制御信号を受信して前記第１の発光ユニットよりも所定の時間遅延させてから、該制御信号に含まれた前記発光シーケンスに応じて発光を始めることができる第２の発光ユニットと、を備えているため、前記コントローラから制御信号を発信して、前記第１の発光ユニット及び前記第２の発光ユニットに受信させ、そして、該制御信号に含まれている所定の発光シーケンスに応じて順番に２種類以上の発光パターンを表現させることができる上、前記遅延手段の遅延効果によって、前記第２の発光ユニットが表現する発光パターンと前記第１の発光ユニットが行う発光パターンとは時間差が付けられているので、より変化性のある発光効果を発揮することができる。
【図面の簡単な説明】
【０００９】
【図１】本考案の照明装置の実施形態が示されている説明図である。
【図２】本考案の照明装置の実施形態における第１の発光ユニット及び第２の発光ユニットが示されている平面図である。
【図３】本考案の照明装置の第１の発光ユニットと第２の発光ユニットとの変化例、及び、コントローラとの制御関係が示されているブロック図である。
【図４】本考案の照明装置が行える発光パターンの一例が示されている波形図である。
【図５】本考案の照明装置が行える発光シーケンスの一例が示されている波形図である。
【考案を実施するための形態】
【００１０】
以下、図１と図２を参照しながら、本考案の照明装置を例示する実施形態について詳しく説明する。図１は本考案の照明装置の実施形態が示されている説明図である。そして、図２は本考案の実施形態における第１の発光ユニット及び第２の発光ユニットが示されている平面図である。
【００１１】
図１に示されるように、本考案の照明装置は、制御信号を発信できるコントローラ３と、コントローラ３によって発信された前記制御信号を受信して発光できる複数の第１の発光ユニット１及び複数の第２の発光ユニット２と、を備えている。
【００１２】
コントローラ３は、所定の順番に配列された２種類以上の発光パターンからなる発光シーケンスを含む制御信号を発信できるように構成されている。本実施形態におけるコントローラ３は、演奏会の会場に設置されて舞台の照明や観客席の照明や音楽の放送などを操作するための制御盤に設けられている。そして、コントローラ３は、枠状のハウジング３１１と、ハウジング３１１に設置されて互いに電気的に接続されたメモリ３１２と、発信手段３１４と、ユーザインターフェイス３１３と、を有する。
【００１３】
本実施形態におけるメモリ３１２としては、ハウジング３１１の内部に設置されて、複数種類の発光パターンのデータが記憶されているハードデイスクやソリッドステートドライブなどの記憶装置が使用されている。また、メモリ３１２に記憶されている前記複数種類の発光パターンのデータには、例えば時間が経つと共に第１の発光ユニット１及び第２の発光ユニットが発光する輝度を調整し、または第１の発光ユニット１及び第２の発光ユニット２が発する光の色を変更させるためのものが含まれている。具体的に、該複数種類の発光パターンの中には、例えば連続的に発光するパターンと点滅するように発光するパターン、第１の色で発光するパターン及び前記第１の色とは異なる第２の色で発光するパターン、または発光する輝度が徐々に明るくなってからまた徐々に暗くなるパターン、あるいは第１の色で所定の時間発光してから第２の色に切替って発光するパターン、などが含まれている。
【００１４】
本実施形態における発信手段３１４としては、前記制御信号を無線で発信できる無線発信機が使用されている。一方、ユーザインターフェイス３１３は、使用者の操作に応じて、前記複数種類の発光パターンから少なくとも２つを選択して順番に前記所定の発光シーケンスに加えてから、前記制御信号に含ませて発信手段３１４に発信させることができるよう構成されている。本実施形態におけるユーザインターフェイス３１３としては、具体的には、ハウジング３１１の外部に設置されて使用者の入力操作を受け付けるためのボタンやつまみなどの入力部３１５と、入力部３１５と電気的に接続して入力部３１５が受けた入力操作に応じて前記複数種類の発光パターンのデータを処理して発信手段３１４に発信させることができるＩＣチップとしての制御部３１６と、が使用されている。
【００１５】
この構造によれば、コントローラ３は、使用者がユーザインターフェイス３１３の入力部３１５から入力操作して、メモリ３１２に記憶された前記複数種類の発光パターンから少なくとも２つを選択して順番に所定の発光シーケンスに加えるよう設定することで、制御部３１６がメモリ３１２からその入力操作に対応する種類の発光パターンのデータを読み取り、そして前記所定の発光シーケンス通りの順番で配列してから、制御信号に含ませて発信手段３１４に発信させるよう処理することができる。
【００１６】
図２に示されるように、本実施形態で例示される各第１の発光ユニット１は、手で持ちやすいように棒状のライトステイックに作成されている。各第１の発光ユニット１は、柄状のハンドル１１１と、ハンドル１１１の一端に取り付けられる第１の制御手段１１５及び発光できる第１の発光手段１１３と、ハンドル１１１の側面に可動的に取り付けられて第１の制御手段１１５及び第１の発光手段１１３と電気的に接続するスイッチ１１４と、略筒状且つ透明に形成されると共にハンドル１１１の前記一端に取り付けられて第１の制御手段１１５及び第１の発光手段１１３を覆うライトカバー１１２と、を有する。
【００１７】
本実施形態における第１の制御手段１１５としては、コントローラ３により発信された制御信号を受信する無線受信機（図示せず）と、該無線受信機が受信した前記制御信号に含まれる所定の発光シーケンスに応じて第１の発光手段１１３の発光を制御するＩＣチップと、が使用されている。本実施形態における第１の発光手段１１３としては、互いに異なる色の光を発することができる発光ダイオード（ＬＥＤ）が複数使用されており、そして該各発光ダイオードが発する光はライトカバー１１２を通過できる。
【００１８】
なお、スイッチ１１４は、ハンドル１１１の内部に設置される電池（図示せず）と電気的に接続し、該電池からの電力を第１の制御手段１１５に供給すると共に、電流を第１の発光手段１１３に流してそれらの受信・制御及び発光を機能させるオン状態と、該電池からの電力の供給を止めて第１の制御手段１１５及び第１の発光手段１１３の機能を停止させるオフ状態と、を切り替えるように構成されている。
【００１９】
この構造によれば、各第１の発光ユニット１は、前記オン状態において、第１の制御手段１１５が無線受信機によりコントローラ３により発信された制御信号を受信すると、その制御信号に含まれている所定の発光シーケンスを構成した各発光パターンに応じて、第１の発光手段１１３を、例えば連続的に発光させ、点滅させ、第１の色と該第１の色と異なる第２の色で発光させ、または第１の発光手段１１３が発光する輝度を調整して変化させるるなど、多種多様の発光パターンを行うことができる。
【００２０】
一方、各第２の発光ユニット２は、構造的には上記の各第１の発光ユニット１と同様、手で持ちやすいように棒状のライトステイックに作成されており、そしてハンドル２１１と、第２の制御手段２１５と、第２の発光手段２１３と、スイッチ２１４と、ライトカバー２１２とを有するが、ハンドル２１１の内部に設置されて、一端が第２の制御手段２１５に接続され、他端が第２の発光手段２１３を介してスイッチ２１４と電気的に接続する遅延手段２２を更に有する一点において異なっている。
【００２１】
本実施形態における遅延手段２２としては、タイマＩＣが使用されており、第２の制御手段２１５がコントローラ３により発信された前記制御信号を受信して、該制御信号に含まれている前記所定の発光シーケンスを構成した各前記発光パターンに応じて第２の発光手段２１３の発光を制御する作動を、各第１の発光ユニット１よりも所定の時間遅延させてから始まるように機能できる。即ち、各第２の発光ユニット２は、各第１の発光ユニット１よりも所定の時間遅らせてから、それらの第１の発光ユニット１と同じように、連続的に発光させ、点滅するように発光させ、第１の色と該第１の色と異なる第２の色で発光させ、または第２の発光手段２１３が発光する輝度を調整して変化させるなど、多種多様の発光パターンを表現できる。
【００２２】
次に、図３を参照して、本考案の照明装置の第１の発光ユニット１と第２の発光ユニット２の変化例について説明する。図３は本考案の第１の発光ユニットと第２の発光ユニットの変化例、及び、コントローラとの制御関係が示されているブロック図である。
【００２３】
本変化例における第１の発光ユニット１ａ及び第２の発光ユニット２ａは、上記の手持ち用のライトステイックとは異なって、演奏会の会場に設置され、そして外部の電源により給電されるＬＥＤ台座やスポットライトやストリップライトなどの装飾照明に設けられる。なお、上記のライトステイックに作成された第１の発光ユニット１及び第２の発光ユニット２と共通する構成は、同じ符号を付けて説明を省略する。
【００２４】
本変化例における第１の発光ユニット１ａは、具体的には、演奏会の会場に設置されるための筐体１３と、筐体１３に保持される複数の第１の発光手段１１３ａと１つの第１の制御手段１１５ａと、を有するように構成されている。この構造によれば、第１の発光ユニット１ａは、１つの第１の制御手段１１５ａがコントローラ３の発信手段３１４から発信した制御信号を受信して、複数の第１の発光手段１１３ａの発光を統一的に制御できるようになる。
【００２５】
一方、本変化例における第２の発光ユニット２ａは、演奏会の会場に設置されるための筐体２３と、筐体２３にまとめて保持される複数の第２の発光手段２１３ａと１つの第２の制御手段２１５ａと１つの遅延手段２２ａと、を有するように構成されている。この構造によれば、第２の発光ユニット２ａは、１つの第２の制御手段２１５ａがコントローラ３の発信手段３１４から発信した前記制御信号を受信し、そして１つの遅延手段２２ａを介して、複数の第２の発光手段２１３ａを第１の発光ユニット１ａの各第１の発光手段１１３ａよりも所定の時間遅らせてから発光させるように統一的に制御できる。
【００２６】
続いて、図４と図５を参照して本考案の照明装置の取り扱い方について説明する。図４は本考案の照明装置が表現し得る発光パターンの一例が示されている波形図である。そして、図５は本考案の照明装置が表現し得る発光シーケンスの一例が示されている波形図である。
【００２７】
本考案の照明装置を演奏会に使用する場合には、例えば、まず一部の観客に複数のライトステイックの第１の発光ユニット１を配り、一方、複数のライトステイックの第２の発光ユニット２にある遅延手段２２をそれぞれ各第１の発光ユニット１より１秒遅れるように設定してから、それらの第２の発光ユニット２を他の観客に配る。
【００２８】
そして、オペレータが該演奏会の会場に設置されたコントローラ３を操作して、例えば図４に示されたように、赤色光を１秒間明るくしてから暗くするパターン、橙色光を１秒間明るくしてから暗くするパターン、黄色光を１秒間明るくしてから暗くするパターン、青色光を１秒間明るくしてから暗くするパターン、紫色光を１秒間明るくしてから暗くするパターンの計６つの発光パターンを順番に発光シーケンスに加えて設定してから制御信号を発信すると、前記一部の観客が持っている各第１の発光ユニット１は、該制御信号に含まれた前記発光シーケンスに応じて、順番に前記６つの発光パターンを表現して赤色光、橙色光、黄色光、青色光、そして紫色光を点滅するので、変化性のある発光効果をもたらすことができる。
【００２９】
一方、各第１の発光ユニット１が一番目の前記赤色光の発光パターンの表現を終えて二番目の前記橙色光の発光パターンを表現すると共に、各第１の発光ユニット１より１秒遅れるように設定された各第２の発光ユニット２は、前記制御信号に含まれた前記発光シーケンスに応じて一番目の前記赤色光の発光パターンの表現を始める。更に、各第１の発光ユニット１が三番目の前記黄色光の発光パターンを表現すると共に、各第２の発光ユニット２は二番目の前記橙色光の発光パターンを表現する。この通り、各第２の発光ユニット２は、各第１の発光ユニット１とは１秒の時間差をつけて前記６つの発光パターンを同じ順番で行うため、該会場において異なる色の点滅が同時に発生するので、より変化性のある発光効果をもたらすことができる。
【００３０】
ここでは、各第１の発光ユニット１及び各第２の発光ユニット２がコントローラ３から受信した制御信号は同じであるものの、遅延手段２２の遅延効果により、各第１の発光ユニット１と各第２の発光ユニット２は同じ発光シーケンス通りに発光するだけても、時間差がつけられたことで同じ時刻においては違う発光パターンを表現するので、本考案の照明装置は、コントローラ３が発信した１つの制御信号だけで、簡単に異なる発光効果を同時にもたらすことができる。
【００３１】
更に、本考案の照明装置は、上記の６つの発光パターンを順番に配列して構成した発光シーケンス以外、例えば図５に示されたように、コントローラ３から各第１の発光ユニット１及び各第２の発光ユニット２に対して、まず白色光を０．０７秒間発光してから０．２１秒間消す発光パターンを数回繰り返すように点滅し、続いて緑色光を０．０７秒間発光してから０．１秒間消す発光パターンを数回繰り返すように点滅し、そして、白色光を０．０７秒間発光してから０．１秒間消し、緑色光を０．０７秒間発光してから０．１秒間消す発光パターンを数回繰り返すように変色点滅することなど、繊細な発光シーケンスが含まれた制御信号を発信して、各第１の発光ユニット１及び各第２の発光ユニット２をシーケンスに応じて発光させることも可能である。
【００３２】
無論、上記の実施形態より変化性のある発光効果を奏するため、例えば上記の変化例の装飾照明に作成された第１の発光ユニット１ａ及び第２の発光ユニット２ａをも演奏会の会場に投入して使用したり、複数のライトステイックの第１の発光ユニット１及び第２の発光ユニット２をそれぞれ会場における別々のエリアにいる観客に配ったり、またはランダムで観客に配ったり、第２の発光ユニット２とは異なる所定時間の遅延機能が設定された遅延手段が付けられている第３の発光ユニットや第４の発光ユニットを演奏会に投入して観客に配ったりすることにより適宜な変更や追加は可能である。
【００３３】
上記の実施形態によれば、本考案の照明装置は、２種類以上の発光パターンからなる発光シーケンスを含む制御信号を発信できるコントローラ３と、コントローラ３により発信された前記制御信号を受信して該制御信号に含まれる前記発光シーケンスに応じて発光できる第１の発光ユニット１と、遅延手段２２を有し、コントローラ３により発信された前記制御信号を受信して第１の発光ユニット１より所定の時間遅延させてから、該制御信号に含まれた前記発光シーケンスに応じて発光を始めることができる第２の発光ユニット２と、を備えている。このため、本考案の照明装置は、コントローラ３から制御信号を発信して第１の発光ユニット１及び第２の発光ユニット２に受信させ、そして、該制御信号に含まれている所定の発光シーケンスに応じて順番に２種類以上の発光パターンを表現させることができる上、遅延手段２２の遅延効果によって、第２の発光ユニット２が行う発光パターンと第１の発光ユニット１が行う発光パターンとは時間差が付けられているので、より変化性のある発光効果をもたらすことができる。
【００３４】
以上、本考案の好ましい実施形態を説明したが、本考案はこれに限定されるものではなく、その要旨を逸脱しない範囲で種々変更可能である。
【産業上の利用可能性】
【００３５】
上記構成によれば、本考案の照明装置は、コントローラ３からの制御信号で、第１の発光ユニット１及び第２の発光ユニット２などに多種多様な発光パターンを表現させることができるので、演奏会などの娯楽事業での使用に限らず、一種の光学通信、伝達手段として応用されることも可能である。
【符号の説明】
【００３６】
１、１ａ  第１の発光ユニット
１１１  ハンドル
１１２  ライトカバー
１１３、１１３ａ  第１の発光手段
１１４  スイッチ
１１５、１１５ａ  第１の制御手段
１３  筐体
２、２ａ  第２の発光ユニット
２１１  ハンドル
２１２  ライトカバー
２１３、２１３ａ  第２の発光手段
２１５、２１５ａ  第２の制御手段
２２、２２ａ  遅延手段
２３  筐体
３  コントローラ
３１１  ハウジング
３１２  メモリ
３１３  ユーザインターフェイス
３１４  発信手段
３１５  入力部
３１６  制御部
【図１】
0003213469.tif 000003
【図２】
0003213469.tif 000004
【図３】
0003213469.tif 000005
【図４】
0003213469.tif 000006
【図５】
0003213469.tif 000007